(57)【要約】【課題】  パレット支持棚に取り付けて使用することのできるハンガー掛け具を提供する。【解決手段】  平面視で概ね矩形のパレット支持棚の四隅に立設された支柱の間に延在する梁部材１０，１２に懸架されて使用されるように構成されたハンガー掛け具１００であって、１つ又は複数の懸架竿１０６と、懸架竿１０６の各端部付近に設けられ、梁部材１０，１２に掛けることができるように鉤状の形状に形成された掛着具１０２と、１つ又は複数の懸架竿１０６の各々に吊設され、懸架竿１０６と概ね平行に延在する支持竿１０４と、を備える、ハンガー掛け具１００を提供する。【選択図】  図１
0003218930.tif 000002
【実用新案登録請求の範囲】
【請求項１】
平面視で概ね矩形のパレット支持棚の四隅に立設された支柱の間に延在する梁部材に懸架されて使用されるように構成されたハンガー掛け具であって、
１つ又は複数の懸架竿と、
上記懸架竿の各端部付近に設けられ、上記梁部材に掛けることができるように鉤状の形状に形成された掛着具と、
上記１つ又は複数の懸架竿の各々に吊設され、上記懸架竿と概ね平行に延在する支持竿と、
を備える、ハンガー掛け具。
【請求項２】
上記懸架竿に対して摺動可能となるように上記懸架竿内に入れ子状に取り付けられたスライド竿体をさらに備えることを特徴とする、請求項１に記載のハンガー掛け具。
【請求項３】
上記支持竿が上記スライド竿体の摺動と連動できるように、上記支持竿の一端が上記スライド竿体の一端に接続部材を介して接続されているとともに、上記支持竿の他端が、上記懸架竿の外周側に遊嵌したリング体に接続部材を介して接続されていることを特徴とする、請求項２に記載のハンガー掛け具。
【請求項４】
上記懸架竿の各端部付近にクランプをさらに備える、請求項１〜３のいずれかに記載のハンガー掛け具。
【考案の詳細な説明】
【技術分野】
【０００１】
本考案は、衣料用ハンガーを吊り下げるためのハンガー掛け具に関し、詳しくは、パレット支持棚（ラック）に後付けすることができるように構成されたハンガー掛け具に関する。
【背景技術】
【０００２】
パレット支持棚（ネスティングラック等）は、倉庫や工場において使用される。例えば、パレット支持棚は、一時的に預かった物品を保管するための保管棚として使用されている。また、工場において製品を保管するために使用されている。
【０００３】
しかし、倉庫内で長く使用されていないパレット支持棚もある。これまでは、倉庫内で長く使用されていないパレット支持棚について他の用途があまり考案されていなかった。
【０００４】
また、倉庫で各種作業に従事する作業員の衣服や、作業服等を倉庫内において衣料用ハンガーに掛けて吊るす場所が不足することがある。そこで、従来のパレット支持棚に、ハンガー掛け具を後付けすることにより、パレット支持棚を簡易的なウォークイン・クローゼットとして利用することができるとよい。
【先行技術文献】
【特許文献】
【０００５】
【特許文献１】実用新案登録第３１７９８９７号公報
【特許文献２】特開平９−２４６９号公報
【考案の概要】
【考案が解決しようとする課題】
【０００６】
従来のパレット支持棚を簡易的なウォークイン・クローゼットとして利用することを可能にする後付け式のハンガー掛け具を提供することを目的とする。
【課題を解決するための手段】
【０００７】
一実施例においては、平面視で概ね矩形のパレット支持棚の四隅に立設された支柱の間に延在する梁部材に懸架されて使用されるように構成されたハンガー掛け具であって、１つ又は複数の懸架竿と、懸架竿の各端部付近に設けられ、梁部材に掛けることができるように鉤状の形状に形成された掛着具と、１つ又は複数の懸架竿の各々に吊設され、懸架竿と概ね平行に延在する支持竿と、を備える、ハンガー掛け具を提供する。
【０００８】
さらなる実施例においては、懸架竿に対して摺動可能となるように懸架竿内に入れ子状に取り付けられたスライド竿体をさらに備えることを特徴とする。
【０００９】
さらなる実施例においては、支持竿がスライド竿体の摺動と連動できるように、支持竿の一端がスライド竿体の一端に接続部材を介して接続されているとともに、支持竿の他端が、懸架竿の外周側に遊嵌したリング体に接続部材を介して接続されていることを特徴とする。
【００１０】
さらなる実施例においては、懸架竿の各端部付近にクランプをさらに備える。
【００１１】
本考案の他の特徴や利点については、後述する考案を実施するための形態と、添付の図面を参照することにより明らかとなろう。
【図面の簡単な説明】
【００１２】
【図１】本考案のハンガー掛け具が取り付けられたパレット支持棚を示す図。
【図２】第１の実施例におけるハンガー掛け具の構造を示す斜視図。
【図３】ハンガー掛け具が取り付けられたパレット支持棚１の側面図
【図４】ハンガー掛け具が取り付けられたパレット支持棚１の正面図。
【図５】（ａ）第２の実施例におけるハンガー掛け具、及び（ｂ）第３の実施例におけるハンガー掛け具を示す斜視図。
【図６】第４の実施例におけるハンガー掛け具を示す図。
【図７】第５の実施例におけるハンガー掛け具を示す図。
【図８】第６の実施例におけるハンガー掛け具を示す図。
【考案を実施するための形態】
【００１３】
本考案のハンガー掛け具を備えたパレット支持棚の一実施例について、添付の図面を参照しつつ説明する。
【００１４】
図１において、パレット支持棚１が二点鎖線で示されている一方で、該パレット支持棚１に懸架された本考案のハンガー掛け具１００が太い実線で示されている。
【００１５】
図１に示されるように、パレット支持棚１は、平面視で概ね矩形の形状に形成されており、その四隅に支柱２、支柱４、支柱６、支柱８が立設されている。また、パレット支持棚１の前部の左側の支柱２と右側の支柱４の上部、及び後部の左側の支柱６と右側の支柱８の上部の間が、梁部材１０（前側）、梁部材１２（後側）、梁部材１４（左側）、梁部材１６（右側）を介して接続されている。さらに、パレット支持棚１の上面に架け渡されるように補強梁部材１８、２０が設けられており、その上面にパレットを載せることができるように構成されている。
【００１６】
また、パレット支持棚１の左側の支柱２と支柱６との下部が支持部材２４を介して接続され、パレット支持棚１の右側の支柱４と支柱８との下部が支持部材２６を介して接続され、パレット支持棚１の後側の支柱６と支柱８との下部が支持部材２２を介して接続されている。
【００１７】
図１においてはさらに、ハンガー掛け具１００が掛着具１０２を使ってパレット支持棚１の梁部材１０，１２に懸架式に取り付けられている図１においては、ハンガー掛け具１００の掛着具１０２が、梁部材１０と梁部材１２に掛けられている）。
【００１８】
図２は、第１の実施例におけるハンガー掛け具１００の構造を示す。図２に示される実施例においては、２つ（２本）の懸架竿１０６が概ね水平に延在している。また、２つの懸架竿１０６の各々に対して概ね平行に、支持竿１０４が吊設されている。ハンガー掛け具１００の使用者は、これらの支持竿１０４に、市販の衣料用ハンガー２００を掛けることができる。また、２つの懸架竿１０６は、連結材１０８を介して互いに接続されている。さらに、懸架竿１０６の各端部付近に、パレット支持棚１の梁部材に掛けることができるように鉤状の形状に形成された掛着具１０２が設けられている。一例においては、掛着具１０２は、側面視で概ね「コ」字形の形状に形成されている。
【００１９】
一実施例においては、支持竿１０４がスライド竿体１１０の摺動と連動できるように、支持竿１０４の一端がスライド竿体１１０の一端に接続部材を介して接続されているとともに、支持竿１０４の他端が、懸架竿１０６の外周側に遊嵌したリング体１１２に、接続部材を介して接続されている。一実施例においては、懸架竿１０６の所定の位置に、ストッパー１１４が設けられていることにより、スライド竿体１１０が引き出されるときに、リング体１１２がストッパー１１４に当接し、スライド竿体１１０をそれ以上引き出すことができないように構成されている。
【００２０】
図３は、ハンガー掛け具１００が懸架されたパレット支持棚１の側面図である。パレット支持棚１の前側の梁部材１０及び後側の梁部材１２に、ハンガー掛け具１００の掛着具１０２が掛けられている。ハンガー掛け具１００の使用者は、１つ又は複数の支持竿１０４に衣料用ハンガー２００を引っ掛けて使用することができる。
【００２１】
図４は、ハンガー掛け具１００が懸架されたパレット支持棚１の正面図である。図４においては、２つの懸架竿１０６と、これらの懸架竿１０６に吊設された２つの支持竿１０４が示されている。ハンガー掛け具１００の使用者は、１つ又は複数の支持竿１０４に衣料用ハンガー２００を引っ掛けて使用することができる。
【００２２】
図５〜図８は、他の実施例におけるハンガー掛け具１００の構成を示す。
【００２３】
図５（ａ）は、第２の実施例におけるハンガー掛け具１００を示す。図５（ａ）に示されるハンガー掛け具１００においては、１つ（１本）の懸架竿１０６と１つ（１本）の支持竿１０４とが概ね平行に設けられている。さらに、懸架竿１０６の各端部付近に、パレット支持棚１の梁部材に掛けることができるように鉤状の形状に形成された掛着具１０２が設けられている。
【００２４】
図５（ｂ）は、第３の実施例におけるハンガー掛け具１００を示す。図５（ｂ）に示されるハンガー掛け具１００においては、３つ（３本）の懸架竿１０６と３本の支持竿１０４が設けられている。さらに、懸架竿１０６の各端部付近に、パレット支持棚１の梁部材に掛けることができるように鉤状の形状に形成された掛着具１０２が設けられている。
【００２５】
図６は、第４の実施例におけるハンガー掛け具１００を示す。図６に示されるハンガー掛け具１００においては、３つ（３本）の懸架竿１０６と３つ（３本）の支持竿１０４が設けられている。また、懸架竿１０６に対して、支持竿１０４が概ね平行に延在している。さらに、懸架竿１０６に対して摺動可能となるように各懸架竿１０６内に入れ子状にスライド竿体１１０が設けられている。
【００２６】
図７は、第５の実施例におけるハンガー掛け具１００を示す。図７に示されるハンガー掛け具１００においては、３つ（３本）の懸架竿１０６と３つ（３本）の支持竿１０４が設けられ、懸架竿１０６に対して、支持竿１０４が概ね平行に延在している。また、懸架竿１０６に対して摺動可能となるように各懸架竿１０６内に入れ子状にスライド竿体１１０が設けられている。さらに、懸架竿１０６の各端部付近にクランプ１１６が設けられている。各端部付近にクランプ１１６が設けられていることにより、種々のパレット支持棚の様々な太さの梁部材に応じて、ハンガー掛け具１００を掛着することが可能となる。
【００２７】
図８は、第６の実施例におけるハンガー掛け具１００を示す。図８に示されるハンガー掛け具１００においては、懸架竿１０６と支持竿１０４との両方に、スライド竿体１１０が入れ子状に設けられている。これらのスライド竿体１１０は、支持竿１０４又は懸架竿１０６の長さ方向に沿って摺動することができるように、支持竿１０４内又は懸架竿１０６内に設けられている。図８に示される実施例においては、ハンガー掛け具１００の前面の連結材１０８と共にスライド竿体１１０が前後方向に摺動することが可能であるため、種々のパレット支持棚１の様々な梁の間隔に応じて、ハンガー掛け具１００を取り付けることが可能となる。
【００２８】
以上のように、本考案のハンガー掛け具１００は、パレット支持棚１に後付けすることにより、従来のパレット支持棚１を簡易的なウォークイン・クローゼットとして利用することを可能にする。例えば、パレット支持棚１の表面を化粧パネルで装飾して、パレット支持棚１を簡易的なウォークイン・クローゼットとして利用することもできよう。
【符号の説明】
【００２９】
１…パレット支持棚
２…支柱
４…支柱
６…支柱
８…支柱
１０…梁部材
１２…梁部材
１４…梁部材
１６…梁部材
１８…補強梁部材
２０…補強梁部材
２２…支持部材
２４…支持部材
２６…支持部材
１００…ハンガー掛け具
１０２…掛着具
１０４…支持竿
１０６…懸架竿
１０８…連結材
１１０…スライド竿体
１１２…リング体
１１４…ストッパー
１１６…クランプ
２００…ハンガー
【図１】
0003218930.tif 000003
【図２】
0003218930.tif 000004
【図３】
0003218930.tif 000005
【図４】
0003218930.tif 000006
【図５】
0003218930.tif 000007
【図６】
0003218930.tif 000008
【図７】
0003218930.tif 000009
【図８】
0003218930.tif 000010